(57)【要約】【課題】  認証要求数に応じた認証サーバへの動的な負荷分散が可能で、認証サーバにて認証の一連のシーケンスを一元管理を可能にする。【解決手段】  本発明は、負荷分散装置が、認証サーバが認証要求に対する認証処理を行った認証処理情報を受信し、全認証サーバの認証処理情報数を集計し、該認証処理情報の集計値を平均し、平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として認証サーバに通知し、認証サーバは、認証要求平均化結果をエッジノードに送信し、エッジノードは、認証要求平均化結果に基づいて、接続先の認証サーバを変更する。【選択図】  図１
2011048504.tif 000002
【特許請求の範囲】
【請求項１】
ＩＰネットワークにおいて、ユーザ端末からの認証要求情報を、ネットワーク内に配置されたエッジノードと認証サーバ間の信号送受信により認証処理を実現する際に、該認証サーバの負荷を分散させる認証サーバの負荷分散方法であって、
前記認証サーバの負荷を分散させる制御を行う負荷分散装置は、
前記認証サーバが認証要求に対する認証処理を行った認証処理情報を受信し、全認証サーバの認証処理情報数を集計し、該認証処理情報の集計値を平均する集計・平均化ステップと、
前記平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として記憶手段に格納する認証サーバ決定ステップと、
前記記憶手段に格納された認証サーバに対して、前記認証要求平均化結果を通知する認証要求平均化結果通知ステップと、
を行い、
前記認証サーバは、
前記負荷分散装置から受信した前記認証要求平均化結果をエッジノードに送信する転送ステップを行い、
前記エッジノードは、
前記認証サーバから受信した前記認証要求平均化結果に基づいて、接続先認証サーバを変更する接続先変更ステップを行う
ことを特徴とする認証サーバの負荷分散方法。
【請求項２】
前記負荷分散装置における前記集計・平均化ステップは、
受信した前記認証処理情報を認証処理情報記憶手段に格納し、該認証処理情報記憶手段から一定期間の該認証処理情報を読み出して、集計及び平均化を行う
請求項１記載の認証サーバの負荷分散方法。
【請求項３】
前記認証サーバにおいて、
前記認証処理情報を認証処理情報記憶手段に格納しておき、一定期間の周期で該認証処理情報を読み出して、前記負荷分散装置に送信する
請求項１記載の認証サーバの負荷分散方法。
【請求項４】
ＩＰネットワークにおいて、エッジノード、認証サーバを有し、ユーザ端末からの認証要求情報を、ネットワーク内に配置されたエッジノードと認証サーバ間の信号送受信により認証処理を実現する際に、該認証サーバの負荷を分散させる認証サーバの負荷分散システムであって、
前記認証サーバが認証要求に対する認証処理を行った認証処理情報を受信し、全認証サーバの認証処理情報数を集計し、該認証処理情報の集計値を平均する集計・平均化手段と、
前記平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として記憶手段に格納する認証サーバ決定手段と、
前記記憶手段に格納された認証サーバに対して、前記認証要求平均化結果を通知する認証要求平均化結果通知手段と、を有する負荷分散装置を更に有し、
前記認証サーバは、
前記負荷分散装置から受信した前記認証要求平均化結果をエッジノードに送信する転送手段を有し、
前記エッジノードは、
前記認証サーバから受信した前記認証要求平均化結果に基づいて、接続先認証サーバを変更する接続先変更手段を有する
ことを特徴とする認証サーバの負荷分散システム。
【請求項５】
前記負荷分散装置の前記集計・平均化手段は、
受信した前記認証処理情報を認証処理情報記憶手段に格納し、該認証処理情報記憶手段から一定期間の該認証処理情報を読み出して、集計及び平均化を行う手段を含む
請求項４記載の認証サーバの負荷分散システム。
【請求項６】
前記認証サーバは、
前記認証処理情報を認証処理情報記憶手段に格納しておき、一定期間の周期で該認証処理情報を読み出して、前記負荷分散装置に送信する手段を含む
請求項４記載の認証サーバの負荷分散システム。
【請求項７】
ＩＰネットワークにおいて、ユーザ端末からの認証要求情報を、ネットワーク内に配置されたエッジノードと認証サーバ間の信号送受信により認証処理を実現する際に、該認証サーバの負荷を分散させる負荷分散装置であって、
前記認証サーバが認証要求に対する認証処理を行った認証処理情報を受信し、認証処理情報記憶手段に格納する受信手段と、
前記認証情報記憶手段から一定の期間の認証処理情報を読み出して、全認証サーバの認証処理情報数を集計し、該認証処理情報の集計値を平均する集計・平均化手段と、
前記平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として記憶手段に格納する認証サーバ決定手段と、
前記記憶手段に格納された認証サーバを介して前記認証要求平均化結果をエッジノードに通知することにより、該エッジノードの接続先の認証サーバを変更させる結果通知手段と、
を有することを特徴とする負荷分散装置。
【請求項８】
請求項７に記載の負荷分散装置を構成する各手段としてコンピュータを機能させるための負荷分散プログラム。
【発明の詳細な説明】
【技術分野】
【０００１】
本発明は、認証サーバ間の負荷分散方法及び装置及びプログラムに係り、特に、ＩＰネットワークにおいて、ユーザからの認証要求情報を基にし、ネットワーク内に配置されたエッジノードと認証サーバ間の信号送受信により、認証処理を実現する場合の大規模ネットワークにおける認証サーバ間の負荷分散方法及び装置及びプログラムに関する。
【背景技術】
【０００２】
従来、ユーザからの認証要求情報に対して、ユーザの認証や、当該ユーザが何にアクセス可能か、認証結果を通知するＲＡＤＩＵＳ(Remote Access Dial In User Service)プロトコルがある（例えば、非特許文献１参照）。
【先行技術文献】
【非特許文献】
【０００３】
【非特許文献１】Jonathan Hassell著『「ＲＡＤＩＵＳ」ユーザ認証セキュリティプロトコル』、オーム社、pp. 1-7、2003年12月18日
【発明の概要】
【発明が解決しようとする課題】
【０００４】
しかしながら、上記従来の認証方式を用いた認証サーバ間の負荷分散システムには、以下のような問題がある。図１５は、課題を説明するための図である。
【０００５】
・大規模ネットワークでは、エッジノードから認証要求処理が大量に発生するため、複数台のサーバへの負荷分散して実施する必要がある。
【０００６】
・各エッジノードへのユーザ加入者数は拠点や地域によって異なる。
【０００７】
・各エッジノードから各認証サーバへの認証要求数は収容ユーザ数やユーザ毎の接続頻度が異なるため、各認証サーバへの負荷に偏りがある。
【０００８】
・一部の認証サーバへの負荷の偏りにより、複数台あるサーバの処理能力が十分活用できないことと、認証サーバ輻輳に伴う処理遅延によりサービス品質が低下する可能性がある。
【０００９】
本発明は上記の点に鑑みなされたもので、認証要求数に応じた認証サーバへの動的な負荷分散が可能で、認証サーバにて認証の一連のシーケンスを一元管理可能な認証サーバ間の負荷分散方法及び装置及びプログラムを提供することを目的とする。
【課題を解決するための手段】
【００１０】
図１は、本発明の原理を説明するための図である。
【００１１】
本発明（請求項１）は、ＩＰネットワークにおいて、ユーザ端末からの認証要求情報を、ネットワーク内に配置されたエッジノードと認証サーバ間の信号送受信により認証処理を実現する際に、該認証サーバの負荷を分散させる認証サーバの負荷分散方法であって、
認証サーバの負荷を分散させる制御を行う負荷分散装置は、
認証サーバが認証要求に対する認証処理を行った認証処理情報を受信し（ステップ１）、全認証サーバの認証処理情報数を集計し、該認証処理情報の集計値を平均する（ステップ２）集計・平均化ステップと、
平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として記憶手段に格納する認証サーバ決定ステップ（ステップ３）と、
記憶手段に格納された認証サーバに対して、認証要求平均化結果を通知する認証要求平均化結果通知ステップ（ステップ４）と、
を行い、
認証サーバは、
負荷分散装置から受信した認証要求平均化結果をエッジノードに送信する転送ステップ（ステップ５）を行い、
エッジノードは、
認証サーバから受信した認証要求平均化結果に基づいて、接続先認証サーバを変更する接続先変更ステップ（ステップ６）を行う。
【００１２】
また、本発明（請求項２）は、負荷分散装置の集計・平均化ステップにおいて、
受信した認証処理情報を認証処理情報記憶手段に格納し、該認証処理情報記憶手段から一定期間の該認証処理情報を読み出して、集計及び平均化を行う。
【００１３】
また、本発明（請求項３）は、認証サーバにおいて、
認証処理情報を認証処理情報記憶手段に格納しておき、一定期間の周期で該認証処理情報を読み出して、負荷分散装置に送信する。
【００１４】
図２は、本発明の原理構成図である。
【００１５】
本発明（請求項４）は、ＩＰネットワークにおいて、エッジノード３００、認証サーバ２００を有し、ユーザ端末からの認証要求情報を、ネットワーク内に配置されたエッジノード３００と認証サーバ２００間の信号送受信により認証処理を実現する際に、該認証サーバ２００の負荷を分散させる認証サーバの負荷分散システムであって、
認証サーバ２００が認証要求に対する認証処理を行った認証処理情報を受信し、全認証サーバ２００の認証処理情報数を集計し、該認証処理情報の集計値を平均する集計・平均化手段１３０と、
平均した値に基づいて、該認証処理情報数が平均値または、該平均値に近似するように各認証サーバの認証要求数を振り分け、振り分けられた値に基づいてエッジノード３００が選択すべき認証サーバを決定し、決定された該認証サーバとエッジノードを対応付けて、認証要求平均化結果として記憶手段に格納する認証サーバ決定手段１５０と、
記憶手段に格納された認証サーバに対して、認証要求平均化結果を通知する認証要求平均化結果通知手段１１０と、を有する負荷分散装置１００を更に有し、
認証サーバ２００は、
負荷分散装置１００から受信した認証要求平均化結果をエッジノード３００に送信する転送手段２５０を有し、
エッジノード３００は、
認証サーバ２００から受信した認証要求平均化結果に基づいて、接続先認証サーバを変更する接続先変更手段３２０を有する。
【００１６】
また、本発明（請求項５）の負荷分散装置の集計・平均化手段１３０は、
受信した認証処理情報を認証処理情報記憶手段に格納し、該認証処理情報記憶手段から一定期間の該認証処理情報を読み出して、集計及び平均化を行う手段を含む。
【００１７】
また、本発明（請求項６）の認証サーバ２００は、
認証処理情報を認証処理情報記憶手段に格納しておき、一定期間の周期で該認証処理情報を読み出して、負荷分散装置１００に送信する手段を含む。
【００１８】
本発明（請求項７）は、ＩＰネットワークにおいて、ユーザ端末からの認証要求情報を、ネットワーク内に配置されたエッジノードと認証サーバ間の信号送受信により認証処理を実現する際に、該認証サーバの負荷を分散させる負荷分散装置であって、
認証サーバが認証要求に対する認証処理を行った認証処理情報を受信し、認証処理情報記憶手段に格納する受信手段と、
認証情報記憶手段から一定の期間の認証処理情報を読み出して、全認証サーバの認証処理情報数を集計し、該認証処理情報の集計値を平均する集計・平均化手段と、
平均した値に基づいて、該認証処理情報数が平均値または、該平均値に近似するように各認証サーバの認証要求数を振り分け、振り分けられた値に基づいてエッジノードが選択すべき認証サーバを決定し、決定された該認証サーバとエッジノードを対応付けて、認証要求平均化結果として記憶手段に格納する認証サーバ決定手段と、
記憶手段に格納された認証サーバを介して認証要求平均化結果をエッジノードに通知することにより、該エッジノードの接続先の認証サーバを変更させる結果通知手段と、を有する。
【００１９】
本発明（請求項８）は、請求項７に記載の負荷分散装置を構成する各手段としてコンピュータを機能させるための負荷分散プログラムである。
【発明の効果】
【００２０】
上記のように本発明によれば、日々の認証要求数に応じた、認証サーバへの動的な負荷分散が実現可能となる。
【００２１】
また、本発明によれば、認証要求集計／平均化サーバの新規設定及び開発、エッジノードの開発は伴うが、各装置間のデータ送受は既存プロトコルを活用することで実現可能である。
【００２２】
また、認証サーバにて認証の一連のシーケンスを一元管理可能であるため、ユーザからの不具合申告時へも迅速に対応可能である。
【図面の簡単な説明】
【００２３】
【図１】本発明の原理構成図である。
【図２】本発明の原理を説明するための図である。
【図３】本発明の一実施の形態におけるシステム構成図である。
【図４】本発明の一実施の形態における認証サーバの構成図である。
【図５】本発明の一実施の形態における認証サーバの認証処理情報記憶部の例である。
【図６】本発明の一実施の形態における認証サーバの選択認証サーバ情報記憶部の例である。
【図７】本発明の一実施の形態における認証要求条件／平均化サーバの構成図である。
【図８】本発明の一実施の形態における認証要求集計／平均化サーバの認証処理情報記憶部の例である。
【図９】本発明の一実施の形態における認証要求条件／平均化サーバの選択認証サーバ情報記憶部例である。
【図１０】本発明の一実施の形態におけるエッジノードの構成図である。
【図１１】本発明の一実施の形態における認証先認証サーバ記憶部の例である。
【図１２】本発明の一実施の形態における処理を説明するための図である。
【図１３】本発明の一実施の形態における処理のシーケンスチャートである。
【図１４】本発明の一実施の形態におけるデータの流れを示す図である。
【図１５】課題を説明するための図である。
【発明を実施するための形態】
【００２４】
以下、図面と共に本発明の実施の形態を説明する。
【００２５】
図３は、本発明の一実施の形態におけるシステム構成を示す。
【００２６】
同図に示すシステムは、ＩＰネットワーク上の１台の認証要求集計／平均化サーバ１００、複数の認証サーバ２００、複数のエッジノード３００、複数のユーザ端末４００から構成される。以下では、特許請求の範囲で記載した「負荷分散装置」を認証要求条件／平均化サーバ１００として説明する。
【００２７】
認証サーバ２００は、複数のエッジルータ３００と認証要求条件／平均化サーバ１００に接続され、ユーザ端末４００からエッジルータ３００を介して送出された認証要求情報を取得し、認証処理を行い、認証処理情報を認証要求集計／平均化サーバ１００に送信するサーバである。
【００２８】
図４は、本発明の一実施の形態における認証サーバの構成を示す。
【００２９】
認証サーバ２００は、認証要求集計／平均化サーバ１００及びエッジノード３００とデータの送受信を行う送受信部２１０、エッジノード３００を介して受信したユーザ端末４００からの認証要求を一旦記憶する認証要求記憶部２２０、認証処理を行う認証処理部２３０、認証処理を行った認証処理情報を格納する認証処理情報記憶部２４０、認証要求集計／平均化サーバ１００から取得した接続先認証サーバ情報を格納する選択認証サーバ情報記憶部２６０、選択認証サーバ情報記憶部２６０の情報をエッジノード３００に転送するための制御を行う転送制御部２５０から構成される。
【００３０】
図５は、本発明の一実施の形態における認証サーバの認証処理情報記憶部の例を示す。
【００３１】
同図に示す認証処理情報記憶部２４０には、当該認証サーバ２００に接続されている各エッジノード３００毎に認証処理を行った時刻と認証結果（「ＯＫ」または「ＮＧ」）が格納される。
【００３２】
図６は、本発明の一実施の形態における認証サーバの選択認証サーバ情報記憶部の例を示す。
【００３３】
同図に示す選択認証サーバ情報記憶部２６０には、認証要求集計／平均化サーバ１００で決定された各エッジノード３００で接続すべき認証サーバの情報（選択認証サーバ情報）が格納される。
【００３４】
認証要求集計／平均化サーバ１００は、複数の認証サーバ２００と接続され、全認証サーバ２００が認証処理した認証処理情報の数を集計して平均化し、その情報を認証サーバ２００を経由してエッジサーバ３００に通知する。
【００３５】
図７は、本発明の一実施の形態における認証要求集計／平均化サーバの構成を示す。
【００３６】
認証要求集計／平均化サーバ１００は、認証サーバ２００とデータの送受信を行う送受信部１１０、認証サーバ２００から受信した認証処理情報を格納する認証処理情報記憶部１２０、認証処理情報記憶部１２０から一定期間の周期で認証処理情報を読み込んで、認証サーバ毎の認証処理情報数を集計し、平均を求める集計・平均化部１３０、集計・平均化部１３０で求められた集計値及び平均値を格納する集計値記憶部１４０、集計値記憶部１４０の情報から各エッジノード３００がどの認証サーバを選択すべきかを判断し、その結果を接続先認証サーバ情報として送受信部２１０を介して認証サーバ２００に通知するサーバ選択部１５０から構成される。
【００３７】
図８は、本発明の一実施の形態における認証要求集計／平均化サーバの認証処理情報記憶部の例を示す。
【００３８】
認証処理情報記憶部１２０は、当該認証要求集計／平均化サーバ１００に接続された複数の認証サーバ２００から取得した認証情報を各認証サーバ毎に蓄積する。同図の例では、認証サーバＡ，Ｂ，Ｃの認証情報が格納される。
【００３９】
図９は、本発明の一実施の形態における認証要求集計／平均化サーバの選択認証サーバ情報記憶部の例を示す。
【００４０】
同図に示す選択認証サーバ情報記憶部１６０は、サーバ選択部１５０によって選択された認証サーバ２００毎にエッジノードと選択すべき認証サーバの識別子を格納する。
【００４１】
エッジノード３００は、認証サーバ２００から認証サーバの選択設定要求を取得して、当該要求に示される認証サーバに対して認証要求を送出する。
【００４２】
図１０は、本発明の一実施の形態におけるエッジノードの構成を示す。
【００４３】
エッジノード３００は、認証サーバ２００及びユーザ端末４００との間の通信を行う送受信部３１０と、認証サーバ２００から取得した認証サーバの選択設定要求を格納する認証先認証サーバ記憶部３２０から構成される。
【００４４】
図１１は、本発明の一実施の形態における認証先認証サーバ記憶部の例を示す。
【００４５】
認証先認証サーバ記憶部３２０は、認証要求を行う優先順に認証サーバの識別子を格納する。
【００４６】
なお、上記の各構成要素の記憶部はメモリやハードディスク等の記憶媒体である。
【００４７】
次に、上記の構成における処理を説明する。
【００４８】
図１２は、本発明の一実施の形態における処理を説明するための図であり、図１３は、本発明の一実施の形態における処理のシーケンスチャートである。また、図１４は、本発明の一実施の形態におけるデータの流れを示す図である。図１２、図１４に示すステップ番号は、図１３のシーケンスチャートのステップ番号と対応する。
【００４９】
ステップ１０１）  認証サーバ２００は、エッジノード３００から受信した認証要求を受信して、順に認証要求記憶部２２０に格納しておき、認証処理部２３０が認証要求記憶部２２０から認証要求を読み出して認証処理を行い、その結果を認証処理情報記憶部２４０に格納する。送受信部２１０は、認証処理情報記憶部２４０から所定の周期で認証結果を読み出して認証要求集計／平均化サーバ１００に送信する。
【００５０】
ステップ１０２）  認証要求集計／平均化サーバ１００は、送受信部１１０が認証サーバ２００から認証結果を受信し、図８に示すように各認証サーバの識別子に対応付けて認証処理情報記憶部１２０に格納する。集計・平均化部１３０は、認証処理情報記憶部１２０から認証結果を一定期間の周期で読み出して、各認証サーバ毎の認証結果数を集計し、その値の平均値を求め、集計値及び平均値を集計値記憶部１４０に格納する。次に、サーバ選択部１５０は、集計値記憶部１４０の平均値に基づいて、認証サーバ２００の負荷を分散する。
【００５１】
例えば、図１２（Ｂ）に示す認証要求がある場合、認証サーバＡの集計値は１００＋５０＋１０＝１６０であり最も負荷がかかっている。また、認証サーバＢの集計値は３０＋４０＋３０＝１００、認証サーバＣの集計値は５＋２０＋１５＝４０であり、これらを平均すると認証サーバＡ，Ｂ，Ｃの認証要求数の平均値は１００となる。これにより、負荷を分散させるためにサーバ選択部１５０は、エッジノードｂが選択すべき認証サーバを『Ａ』⇒『Ｃ』、エッジノードｃが選択すべき認証サーバを『Ａ』⇒『Ｃ』のように変更する。これにより、各認証サーバ２００の新合計認証要求数は、図１２（Ｃ）に示すように、
認証サーバＡ：１００
認証サーバＢ：１００
認証サーバＣ：１００
となり、負荷が均等に分散する。このようにして各エッジノードに新たに選択した認証サーバを対応付け、選択認証情報記憶部１６０に格納する。図１２（Ｂ）の例では、エッジノード３００ｂ、３００ｃが選択すべき認証サーバは「Ａ」⇒「Ｃ」に変更される。
【００５２】
ステップ１０３）  認証要求集計／平均化サーバ１００の送受信部１１０は、選択認証情報記憶部１６０から読み出したエッジノードと認証サーバの組を認証要求数平均値結果として、認証サーバ２００に通知する。
【００５３】
ステップ１０４）  認証サーバ２００は、認証要求集計／平均化サーバ１００から認証要求平均値結果を取得すると、選択認証サーバ情報記憶部２６０に図６に示すように、各エッジノードが選択すべき認証サーバの識別子を格納する。転送制御部２５０は、配信先のエッジノード４００に対応する認証サーバの識別子を取得して送受信部２１０から各エッジノード４００に対して、認証サーバの選択設定要求として通知する。
【００５４】
ステップ１０５）  エッジサーバ４００は、認証サーバ２００から認証サーバの選択設定要求を受信し、認証先認証サーバ記憶部３２０に格納する。これにより、次回から認証先認証サーバ記憶部３２０に格納されている認証サーバに対して認証要求を送出する。
【００５５】
なお、上記の図７、図４、図１０に示す認証要求条件／平均化サーバ１００、認証サーバ２００、エッジルータ３００の各構成要素の動作をプログラムとして構築し、これらの認証要求条件／平均化サーバ、認証サーバ、エッジルータとして利用されるコンピュータにインストールして実行させる、または、ネットワークを介して流通させることが可能である。
【００５６】
また、構築されたプログラムをハードディスクや、フレキシブルディスク・ＣＤ−ＲＯＭ等の可搬記憶媒体に格納し、コンピュータにインストールする、または、配布することが可能である。
【００５７】
なお、本発明は、上記の実施の形態に限定されることなく、特許請求の範囲内において種々変更・応用が可能である。
【産業上の利用可能性】
【００５８】
本発明は、一般的な負荷分散方式に本発明の方式を加えることが可能なネットワークに適用可能である。
【符号の説明】
【００５９】
１００  認証要求条件／平均化サーバ
１１０  認証要求平均化結果通知手段、送受信部
１２０  認証処理情報記憶部
１３０  集計／平均化手段、集計／平均化部
１４０  集計値記憶部
１５０  サーバ選択部
１６０  選択認証サーバ情報記憶部
２００  認証サーバ
２１０  送受信部
２２０  認証要求記憶部
２３０  認証処理部
２４０  認証処理情報記憶部
２５０  転送手段、転送制御部
２６０  選択認証サーバ情報記憶部
３００  エッジルータ、エッジノード
３１０  送受信部
３２０  接続先変更手段、認証先認証サーバ記憶部
【図１】
2011048504.tif 000003
【図２】
2011048504.tif 000004
【図３】
2011048504.tif 000005
【図４】
2011048504.tif 000006
【図５】
2011048504.tif 000007
【図６】
2011048504.tif 000008
【図７】
2011048504.tif 000009
【図８】
2011048504.tif 000010
【図９】
2011048504.tif 000011
【図１０】
2011048504.tif 000012
【図１１】
2011048504.tif 000013
【図１２】
2011048504.tif 000014
【図１３】
2011048504.tif 000015
【図１４】
2011048504.tif 000016
【図１５】
2011048504.tif 000017